(57)【要約】      （修正有）【課題】装飾体のサプライズ効果を高める装飾体付き筆記具を提供する。【解決手段】筆記具本体１０、小さい造形物２３を有する装飾体２０、連動装置を備える。連動装置は、可動ロッド、複数の連動部材、複数の弾性部材から構成される。装飾体２０に前筐体部２１と後筐体部２２との開く範囲を抑制できる弾性装置５０が内設され、弾性装置５０の下端に連動部材に撞着されることによって前筐体部２１を開閉するように動作する受動部材５１が設けられ、連動部材の一端に小さい造形物２３の最上部を導入して位置決めするための中空フレームが設けられる。【選択図】図１
0003177913.tif 000002
【実用新案登録請求の範囲】
【請求項１】
最上部に支持部を有する筆記具本体と、前記支持部に覆設される装飾体と、前記支持部に貫設され、前記装飾体を開閉するように動かすための連動装置とを備え、
前記連動装置は、
前記支持部を貫通し、かつ前記筆記具本体内で滑動可能な可動ロッドと、
前記装飾体に内設され、前記可動ロッドによって動かされる第一連動部材と、
前記支持部に枢結され、前記第一連動部材と連結される第二連動部材と、
前記第二連動部材に枢結される第三連動部材と、
前記支持部に枢結され、前記第三連動部材と連結される第四連動部材と、
前記第四連動部材と前記支持部との枢結するところに設けられ、前記第二連動部材を往復運動させるための第一弾性部材と、
前記筆記具本体に内設され、前記筆記具本体の内部にある部材を往復運動させるための一つ以上の第二弾性部材と、
を備えて構成され、
前記装飾体は、前筐体部と後筐体部とにより形成され、前記第二連動部材に枢結される小さい造形物が設けられ、
前記装飾体に前記前筐体部と前記後筐体部との開く範囲を抑制する弾性装置が内設され、
前記弾性装置の下端に前記第四連動部材に撞着されることによって前記前筐体部を開閉するように動作する受動部材が設けられ、
前記第四連動部材の一端に前記小さい造形物の最上部を導入して位置決めするための中空フレームが設けられる、
ことを特徴とする装飾体付き筆記具。
【請求項２】
前記受動部材に、前記第四連動部材の前記中空フレームと合わせて撞着される凹凸部が設けられる、ことを特徴とする請求項１に記載の装飾体付き筆記具。
【請求項３】
前記受動部材は、前記装飾体の前記前筐体部の内側壁に設けられる凸部、又は凸リブ、又は構造梁であることを特徴とする請求項１に記載の装飾体付き筆記具。
【請求項４】
前記弾性装置は、前記前筐体部及び前記後筐体部の内側壁に設けられる第一固定部材及び第二固定部材と、前記第一固定部材に固着されかつ組立・分解が可能な位置決め部材と、前記位置決め部材を貫通され、前記位置決め部材の後部を第二固定部材に固着する可動ロッドと、前記可動ロッドを往復運動させるように前記可動ロッドに覆設されるコイルばねとから構成される、ことを特徴とする請求項１に記載の装飾体付き筆記具。
【請求項５】
前記可動ロッドは前端部が前記第一固定部材に導入できる円錐状突起で、前記円錐状突起に隣接するところに押止リングが設けられ、後端部に前記第二固定部材に螺接するためのほぞ部が設けられ、前記第一固定部材の一端に前記可動ロッドの前記押止リングと組み合わせられる押止部が設けられ、前記第二固定部材の一端に前記可動ロッドのほぞ部と組み合わせられる挿嵌凹部が設けられる、ことを特徴とする請求項４に記載の装飾体付き筆記具。
【請求項６】
前記位置決め部材は、中央部に前記可動ロッド及び前記コイルばねを導入して滑動させる中空収納槽が設けられ、かつ当該中空収納槽の一端の両側にネジを貫通させることによって前記第一固定部材に螺接して固定される側端部が設けられ、当該中空収納槽の他端には前記コイルばねの外れを防止する押止リングが設けられる、ことを特徴とする請求項４に記載の装飾体付き筆記具。
【請求項７】
前記筆記具本体の底部の内側壁に前記第二弾性部材を固定することによって前記第二弾性部材を安定的に伸縮させかつ滑動させるためのリブが設けられる、ことを特徴とする請求項１に記載の装飾体付き筆記具。
【請求項８】
最上部に支持部を有する筆記具本体と、前記支持部に覆設される装飾体と、前記支持部に貫設され、前記装飾体を開閉するように動かすための連動装置とを備え、
前記連動装置は、
前記支持部を貫通し、かつ前記筆記具本体内で滑動可能な可動ロッドと、
前記装飾体に内設され、前記可動ロッドによって動かされる第一連動部材と、
前記支持部に枢結され、前記第一連動部材と連結される第二連動部材と、
前記第二連動部材に枢結される第三連動部材と、
前記支持部に枢結され、前記第三連動部材と連結される第四連動部材と、
前記第四連動部材と前記支持部との枢結するところに設けられ、前記第二連動部材を往復運動させるための第一弾性部材と、
前記筆記具本体に内設され、前記筆記具本体の内部にある部材を往復運動させるための一つ以上の第二弾性部材と、
を備えて構成され、
前記装飾体は、前筐体部と後筐体部とにより形成され、前記第二連動部材に枢結される小さい造形物が設けられ、
前記装飾体に前記前筐体部と前記後筐体部との開く範囲を抑制する弾性装置が内設され、
前記弾性装置の下端に前記第四連動部材に撞着されることによって前記前筐体部を開閉するように動作する受動部材が設けられ、
前記第四連動部材の一端に前記小さい造形物の最上部を導入して位置決めするための中空フレームが設けられ、
前記前筐体部と前記後筐体部はそれぞれ、前記弾性装置に連結される内筐体と、形状変更など設計変更を実施するために前記内筐体の表に固着される外筐体とを有する、
ことを特徴とする装飾体付き筆記具。
【請求項９】
前記弾性装置は、前記前筐体部の前記内筐体に連結される第一固定部材と、前記後筐体部の前記内筐体に連結される第二固定部材と、前記第一固定部材を貫通し且つ後端部がそれぞれ第二固定部材に連結されて固定される２つの前記可動ロッドと、前記可動ロッドを往復運動させるように前記可動ロッドに覆設される二つのコイルばねとから構成され、前記第一固定部材及び前記第二固定部材はそれぞれ、前記外筐体と嵌合するための嵌合凹部が設けられ、前記外筐体の内側面には前記嵌合凹部に対応する凸部が設けられる、ことを特徴とする請求項８に記載の装飾体付き筆記具。
【請求項１０】
前記筆記具本体の内側壁にそれぞれ、前記第二弾性部材を安定的に伸縮させかつ滑動させるための複数の下リブと中リブが設けられ、他の前記第二弾性部材を安定的に伸縮させ且つ滑動させるための複数の上リブが設けられ、前記上リブと前記上リブとの間に横棒が連結され、前記横棒の下方に前記可動ロッドの底部と係合するための止め穴が設けられる、ことを特徴とする請求項８に記載の装飾体付き筆記具。
【考案の詳細な説明】
【技術分野】
【０００１】
本考案は、装飾体付き筆記具に関する。
【背景技術】
【０００２】
従来から、市場で多くの趣味性のある筆記具が販売されている。これらの筆記具に共通する点は、使用時において筆記具に設けられる装飾体がノックする動作に合わせて同時に動作することにある。このような装飾体を備えることで、趣味性という効果がある。
この種の筆記具が特許文献１、２により提案されている。
【０００３】
特許文献１は装飾体付き筆記具の構造に関するもので、この文献１の装飾体付き筆記具は、対応して接合する二つの軸筒状筐体と、ギアセットと、球状収納スペース及び芯の伸縮装置とから構成される。二つの軸筒状筐体の一端は環状位置決めフレームを呈するもので、中央部に矩形穴が設けられ、当該矩形穴は球状収納スペースを外装して固定され、且つ、軸筒状筐体に内設するギアセット内の磁石は矩形穴によって球状収納スペース内にある人形の動作を制御できる。
芯の伸縮装置は、芯に挿嵌されて芯を支持する押動棒と、押動棒に覆設されるばねから構成される。芯、押動棒及びばねが軸筒に内設され、押動棒に設けられる押動柄により押止部を軸筒の位置決め穴に嵌めるのを制御することで、芯を軸筒状筐体の内部に伸縮する。これにより、当該筆記具は娯楽性、趣味性、書くといった機能を持つ。
【０００４】
特許文献２は装飾体付き筆記具に関するもので、この文献２の装飾体付き筆記具は、固定部と、滑動部と、円錐状薄片と、旗竿状の装飾体とから構成される。この筆記具では、固定部は上縁と下縁にそれぞれ固定脚が設けられる。また、滑動部は外縁に引き金が設けられ、内縁には斜め状スライド溝が設けられ且つその底部に突起が設けられる。円錐状薄片は固定部の固定脚を周着するように下縁に固定穴が設けられ、また、上縁には斜め状スライド溝に合わせる滑動棒が設けられる。旗竿状の装飾体は底部に円状薄片が設けられ、また、円状薄片に三角形の切りかけが設けられ、中央部には固定部の固定脚を周着するように固定穴が設けられる。
これらの部材の組み合わせにより、固定部を斜め状スライド溝と連接し合って筆記具の最上部に設置する。そして、滑動部の引き金を筆記具の上縁に位置する欠け口に対応して設置する。これにより、引き金が上下に動作する場合に引き金によって滑動部の斜め状スライド溝が上下に移動するため、円錐状薄片がこれによって左右にスイングする。さらに円錐状薄片によって旗竿状の装飾体の円状薄片を動かすことにより、旗竿状の装飾体が引き金の動作に従ってスイングするという効果が生じるので、筆記具の使用時における趣味性を高めることが可能である。
【先行技術文献】
【特許文献】
【０００５】
【特許文献１】台湾実用新案登録第２６４７６２号公報
【特許文献２】台湾実用新案登録第Ｍ２９４４２９号公報
【考案の概要】
【考案が解決しようとする課題】
【０００６】
しかしながら、上記特許文献１、２の装飾体付き筆記具では、筆記具の最上部にある人形、旗竿状の装飾体が簡単な往復運動をするだけで、外観形状が変化しないため、人形又は旗竿状の装飾体の動作は目で見れば分かるのでサプライズに欠けるという問題点がある。
【０００７】
本考案は、かかる従来の問題点に鑑み、筆記具の装飾体のサプライズ効果を高め、かつ筆記具の装飾体を芯と安定的に連動させることのできる装飾体付き筆記具、具体的には、装飾体の開く範囲を設定でき、小さい造形物を安全かつ安定的に装飾体の内部に隠蔵することのできる装飾体付き筆記具を提供する、ことを目的とする。
【課題を解決するための手段】
【０００８】
上記問題点を解決し、上記目的を達成するために、本考案の第１の装飾体付き筆記具は、最上部に支持部が設けられる筆記具本体と、前記支持部に覆設される装飾体と、前記装飾体を開閉するように動かすために前記支持部に貫設される連動装置を備え、前記連動装置は、前記支持部を貫通する且つ前記筆記具本体内で滑動できる可動ロッドと、前記可動ロッドによって動くように前記装飾体に内設される第一連動部材と、それぞれ前記第一連動部材と前記支持部に枢結される第二連動部材と、前記第二連動部材に枢結される第三連動部材と、それぞれ前記第三連動部材と前記支持部に枢結される第四連動部材と、前記第二連動部材を往復運動させるように前記第四連動部材と前記支持部との枢結するところに設けられる第一弾性部材と、前記筆記具本体の内部にある部材を往復運動させるように前記筆記具本体に内設される一つ以上の第二弾性部材、から構成され、前記装飾体は前筐体部と後筐体部から形成され、且つ前記装飾体には前記第二連動部材に枢結する小さい造形物が設けられ、また、前記装飾体には前記前筐体部と前記後筐体部との開く範囲を抑制できる弾性装置が内設され、前記弾性装置の下端には、前記第四連動部材に撞着されることによって前記前筐体部を開閉するように動作する受動部材が設けられ、前記第四連動部材の一端に前記小さい造形物の最上部を導入して位置決めるための中空フレームが設けられる、ことを要旨とする。
【０００９】
また、この装飾体付き筆記具は、各部に次のような構成を備えることが好ましい。
（１）前記受動部材には、前記第四連動部材に設けられる前記中空フレームと合わせて撞着される凹凸部が設けられる。
（２）前記受動部材は、前記装飾体の前記前筐体部の内側壁に接続される凸部、又は凸リブ、又は構造梁である。
（３）前記弾性装置は、それぞれ前記前筐体部及び前記後筐体部の内側壁に設けられる第一固定部材及び第二固定部材と、前記第一固定部材に固着され且つ組立・分解が可能な位置決め部材と、前記位置決め部材を貫通することによって前記位置決め部材の後部を第二固定部材に固着される可動ロッドと、前記可動ロッドを往復運動させるように前記可動ロッドに覆設されるコイルばねから構成される。
この場合、前記可動ロッドは前端部が前記第一固定部材に導入できる円錐状突起であり、且つ、前記円錐状突起に隣接するところに押止リングが設けられ、一方、前記可動ロッドの反対端には前記第二固定部材に螺接するためのほぞ部が設けられ、前記第一固定部材の一端に前記可動ロッドに設けられる前記押止リングと組み合わせるための押止部が設けられ、一方、前記第二固定部材の一端に前記可動ロッドに設けられるほぞ部と組み合わせるための挿嵌凹部が設けられることが好ましい。
また、前記位置決め部材は、一端の中央部に前記可動ロッド及び前記コイルばねを導入して滑動させるように中空収納槽が設けられ、且つ当該端部の両側にネジを貫通させることによって前記第一固定部材に螺接して固定されるための側端部が設けられ、一方、反対端には前記コイルばねの外れを防止する押止リングが設けられることが好ましい。
（４）前記筆記具本体の底部の内側壁には前記第二弾性部材を固定することによって前記第二弾性部材を安定に伸縮且つ滑動させるためのリブが設けられる。
【００１０】
また、上記問題点を解決し、上記目的を達成するために、本考案の第２の装飾体付き筆記具は、最上部に支持部が設けられる筆記具本体と、前記支持部に覆設される装飾体と、前記装飾体を開閉するように動かすために前記支持部に貫設される連動装置を備え、前記連動装置は、前記支持部を貫通する且つ前記筆記具本体内で滑動できる可動ロッドと、前記可動ロッドによって動くように前記装飾体に内設される第一連動部材と、それぞれ前記第一連動部材と前記支持部に枢結される第二連動部材と、前記第二連動部材に枢結される第三連動部材と、それぞれ前記第三連動部材と前記支持部に枢結される第四連動部材と、前記第二連動部材を往復運動させるように前記第四連動部材と前記支持部との枢結するところに設けられる第一弾性部材と、前記筆記具本体の内部にある部材を往復運動させるように前記筆記具本体に内設される一つ以上の第二弾性部材、から構成され、前記装飾体は前筐体部と後筐体部から形成され、且つ前記装飾体には前記第二連動部材に枢結する小さい造形物が設けられ、また、前記装飾体には前記前筐体部と前記後筐体部との開く範囲を抑制できる弾性装置が内設され、前記弾性装置の下端には、前記第四連動部材に撞着されることによって前記前筐体部を開閉するように動作する受動部材が設けられ、前記第四連動部材の一端に前記小さい造形物の最上部を導入して位置決めるための中空フレームが設けられ、前記前筐体部と前記後筐体部は、それぞれ前記弾性装置に連結する内筐体と、形状変更など設計変更を実施するために前記内筐体の表に固着される外筐体を有する、ことを要旨とする。
【００１１】
また、この装飾体付き筆記具は、各部に次のような構成を備えることが好ましい。
（１）前記弾性装置は、前記前筐体部の前記内筐体に連結する第一固定部材と、前記後筐体部の前記内筐体に連結する第二固定部材と、前記第一固定部材を貫通する且つ後端部がそれぞれ第二固定部材に連結して固定される二つの前記可動ロッドと、前記可動ロッドを往復運動させるように前記可動ロッドに覆設される二つのコイルばねから構成され、前記第一固定部材及び前記第二固定部材は、それぞれ前記外筐体と嵌合するための嵌合凹部が設けられ、前記外筐体の内側面には前記嵌合凹部に対応する凸部が設けられる。
（２）前記筆記具本体の内側壁には、それぞれ前記第二弾性部材を安定に伸縮且つ滑動させるための複数の下リブと中リブが設けられ、且つ、他の前記第二弾性部材を安定に伸縮且つ滑動させるための複数の上リブが設けられ、また、前記上リブと前記上リブとの間に横棒が連結され、前記横棒の下方に前記可動ロッドの底部と係合するための止め穴が設けられる。
【考案の効果】
【００１２】
本考案の装飾体付き筆記具によれば、弾性装置と受動部材と連動装置の第四連動部材との組み合わせにより、次のような効果を奏する。
（１）装飾体の前筐体部が中空フレームに撞着されることによる移動距離を設定できるとともに、前筐体部の開く範囲を抑制できる。
（２）装飾体の前筐体部と後筐体部とを互いに枢結する必要ないことが、前筐体部と後筐体部との外観形状及び構造における多様性の増加につながる。
（３）第四連動部材の中空フレームを以て、小さい造形物の最上部を当該中空フレームに導入することによる位置決めが可能なため、小さい造形物が完全に装飾体の内部に引っ込まれて露呈しなくなる、また、小さい造形物が装飾体の内部でがたついたっりして他の部材に撞着することを防ぐという効果が生じる。
（４）弾性装置は固定部材、位置決め部材、可動ロッド及びコイルばねなどの部材を設けることにより、弾性装置の弾性効果を高めるとともに、連動装置が動作しない場合に前筐体部を支持する働きをするという効果が生じる。
（５）可動ロッドはロッド本体に設けられる円錐状突起、押止リング及びほぞ部などの構造により、可動ロッドが滑動する際に、摩擦抵抗を減少することと、ロッド本体が第一固定部材に陥ること、及びロッド本体の旋回を防ぐことが可能である。
（６）特に、第２の装飾体付き筆記具では、前筐体部と後筐体部を、内筐体と外筐体を組み合わせるような形状様式に設計し、弾性装置の二つの固定部材をそれぞれ内筐体に連結する構造である。これにより、装飾体を弾性装置とともに取り替えることができるため、当該装飾体付き筆記具の装飾体を完全に新しく取り替えることができる。そこで、全体的に形状設計の変更ができるため、当該実施の形態における装飾体の分解と組立では、第１の装飾体付き筆記具より利便性がある。
（７）特に、第２の装飾体付き筆記具では、外筐体は内筐体の部分を保つ働きをするほかに、外筐体を取り替えることによる当該装飾体の様式変更が可能なため、これにより、装飾体付き筆記具における趣味の価値及び形状設計を伸ばすことが可能であるほかに、モジュール生産に便利なのでコスト削減にもつながる。
（８）特に、第２の装飾体付き筆記具では、弾性装置は、二つの可動ロッドがそれぞれ装飾体の左右両側に内設される構造である。これにより、前筐体部が撞着される際に均一に開くことができるほかに、その後また均一に閉じることも可能であり、且つこの弾性装置は弾性効果と構造強度が第１の装飾体付き筆記具よりましであるという効果が生じる。
【図面の簡単な説明】
【００１３】
【図１】本考案の第１の実施の形態における装飾体付き筆記具を示す斜視図
【図２】同筆記具の内部の構成を示す断面図（小さい造形物が装飾体内から外部に突き出された状態）
【図３】同筆記具の特に装飾体の動作を示す部分断面図
【図４】同筆記具の特に支持部、連動装置及び小さい造形物を示す部分斜視図
【図５】同筆記具の各部の構成を示す分解斜視図
【図６】同筆記具の特に弾性装置を示す拡大斜視図
【図７】同筆記具の内部の構成を示す断面図（小さい造形物が装飾体内に引き込まれた状態）
【図８】本考案の第２の実施の形態における装飾体付き筆記具を示す斜視図
【図９】同筆記具の各部の構成を示す分解斜視図
【図１０】同筆記具の動作を示す断面図（小さい造形物が装飾体内から外部に突き出された状態）
【図１１】同筆記具の動作を示す断面図（小さい造形物が装飾体内に引き込まれた状態）
【考案を実施するための形態】
【００１４】
次に、この考案を実施するための形態について図を用いて説明する。
（実施の形態１）
図１乃至図７に第１の実施の形態を示している。図１は装飾体付き筆記具を示す斜視図、図２は同筆記具の内部の構成を示す断面図（小さい造形物が装飾体内から外部に突き出された状態）を示し、図３は同筆記具の特に装飾体の動作を示す部分断面図、図４は同筆記具の特に支持部、連動装置及び小さい造形物を示す部分斜視図、図５は同筆記具の各部の構成を示す分解斜視図、図６は同筆記具の特に弾性装置を示す拡大斜視図、図７は同筆記具の内部の構成を示す断面図（小さい造形物が装飾体内に引き込まれた状態）である。
【００１５】
図に示すように、装飾体付き筆記具１は、最上部に支持部１１を有する筆記具本体１０と、支持部１１に覆設される装飾体２０と、支持部１１に貫設され、装飾体２０を開閉するように動かすための連動装置３０とを備える。
【００１６】
連動装置３０は、支持部１１を貫通し、筆記具本体１０内で滑動可能な可動ロッド３１と、装飾体２０に内設され、可動ロッド３１によって動かされる第一連動部材３２と、支持部１１に枢結され、第一連動部材３２と連結される第二連動部材３３と、第二連動部材３３に枢結される第三連動部材３４と、支持部１１に枢結され、第三連動部材３４と連結される第四連動部材３５と、第二連動部材３３を往復運動させるように第四連動部材３５と支持部１１との枢結するところに設けられる第一弾性部材４０と、筆記具本体１０の内部にある部材を往復運動させるように筆記具本体１０に内設される一つ以上の第二弾性部材４１、４２とから構成される。
【００１７】
装飾体２０は前筐体部２１と後筐体部２２から形成され、この装飾体２０には第二連動部材３３に枢結される小さい造形物２３が設けられる。装飾体２０の前筐体部２１は連動装置３０の第四連動部材３５によって開く又は閉じる動作をする。これを以て、装飾体２０内の小さい造形物２３が筆記具本体１０内にある部材と同時に装飾体２０の外部に突き出され又は装飾体２０の内部に引き込まれる。
【００１８】
なお、その他の部材と部材との接続関係については従来の技術であるため、ここではそれ以上述べないことにする。
【００１９】
また、この筆記具は、装飾体２０に前筐体部２１と後筐体部２２との開く範囲を抑制できる弾性装置５０が内設され、弾性装置５０の下端には、第四連動部材３５に撞着されることによって前筐体部２１を開閉するように動作する受動部材５１が設けられ、第四連動部材３５の一端に小さい造形物２３の最上部を導入して位置決めするための中空フレーム３５１が設けられる。
【００２０】
この筆記具１では、弾性装置５０と受動部材５１と連動装置３０の第四連動部材３５とを組み合わせることにより、装飾体２０の前筐体部２１と後筐体部２２とを互いに枢結する必要がなく、図３に示すように、前筐体部２１の開く範囲を適切な範囲に抑制できる。この実施の形態においては、装飾体２０は前筐体部２１が後筐体部２２より大きくて斜め状を呈するので、筐体の外観形状が連動装置３０の他の部材に影響するという問題が上述部材により軽減できる。また、これが筐体の外観形状及び構造における多様性の増加につながる。
【００２１】
図４に示すように、第四連動部材３５は一端に設けられる中空フレーム３５１を以て、小さい造形物２３の最上部を当該中空フレーム３５１の中空槽３５２に導入することによる位置決めが可能なため、小さい造形物２３が装飾体２０の内部でがたついたりして他の部材に撞着することを防ぐことができ、また小さい造形物２３が完全に装飾体２０の内部に引き込まれて露呈しなくなるという効果が得られる。
【００２２】
図５及び図６に示すように、受動部材５１には、第四連動部材３５に設けられる中空フレーム３５１と合わせて撞着される凹凸部５１１が設けられる。この受動部材５１の表に凹凸部５１１が設けられることにより、装飾体２０の前筐体部２１が中空フレーム３５１に撞着されることによる移動距離が設定される。また、この実施の形態においては、受動部材５１は、装飾体２０の前筐体部２１の内側壁に接続される凸部、又は凸リブ、又は構造梁であり、前筐体部２１の形状及び構造に合わせて設けられる。
【００２３】
図５乃至図７に示すように、弾性装置５０は、前筐体部２１及び後筐体部２２の内側壁に設けられる第一固定部材５２及び第二固定部材５３と、第一固定部材５２に固着され、かつ組立・分解が可能な位置決め部材５４と、位置決め部材５４を貫通され、位置決め部材５４の後部を第二固定部材５３に固着する可動ロッド５５と、可動ロッド５５を往復運動させるように可動ロッド５５に覆設されるコイルばね５６とから構成される。この実施の形態においては、図５に示すように、第一固定部材５２と位置決め部材５４との間、可動ロッド５５の後部と第二固定部材５３との間がそれぞれ、ネジ６０により螺接されて固定されるため、弾性装置５０の各部材が前、後筐体部２１、２２との間に、図７に示すように、安定的かつ緊密に接合される。
このように弾性装置５０は、固定部材５２、５３、位置決め部材５４、可動ロッド５５及びコイルばね５６などの部材により構成されることにより、当該弾性装置５０の弾性効果が高められるとともに、連動装置３０が動作しない場合に前筐体部２１を支持する働きをするという効果がある。
図５及び図６に示すように、可動ロッド５５は、前端部が第一固定部材５２に導入できる円錐状突起５５１で、円錐状突起５５１に隣接するところに押止リング５５２が設けられ、反対側の後端部には第二固定部材５３に螺接するためのほぞ部５５３が設けられる。一方、第一固定部材５２の一端に可動ロッド５５の押止リング５５２と組み合わせるための押止部５２１が設けられ、第二固定部材５３の一端に可動ロッド５６のほぞ部５５３と組み合わせるための挿嵌凹部５３１が設けられる。このように可動ロッド５５はロッド本体に設けられる円錐状突起５５１、押止リング５５２及びほぞ部５５３などの構造により、可動ロッド５５が滑動する際に、摩擦抵抗を減少することと、ロッド本体が第一固定部材５２に陥ること、及びロッド本体の旋回を防ぐことが可能である。
位置決め部材５４は、中央部に可動ロッド５５及びコイルばね５６を導入して滑動させるように中空収納槽５４１が設けられ、この中空収納槽５４１の一端部の両側にネジ６０を貫通させることによって第一固定部材５２に螺接して固定される側端部５４２が設けられ、反対の他端にはコイルばね５６の外れを防止する押止リング５４３が設けられる。この位置決め部材５４は本体に設けられる中空収納槽５４１と端部の両側に設けられる側端部５４２との組み合わせにより、可動ロッド５５及びコイルばね５６が安定的に且つ傾かないように往復運動できる。また、この位置決め部材５４の押止リング５４３は前筐体部２１にしたがって変位する場合にコイルばね５６を圧縮することによる弾性を保つことができる。
【００２４】
図７に示すように、筆記具本体１０の底部の内側壁には、第二弾性部材４２を固定することによって第二弾性部材４２を安定に伸縮させかつ滑動させるためのリブ１２が設けられる。これにより、筆記具本体１０を分解する場合に第二弾性部材４２が芯にしたがって筆記具本体１０の内部から外れることがないという効果が生じる。
【００２５】
（実施の形態２）
図８乃至図１１に第２の実施の形態を示している。図８は装飾体付き筆記具を示す斜視図、図９は同筆記具の各部の構成を示す分解斜視図、図１０は同筆記具の動作を示す断面図（小さい造形物が装飾体内から外部に突き出された状態）、図１１は同筆記具の動作を示す断面図（小さい造形物が装飾体内に引き込まれた状態）である。
【００２６】
図に示すように、この筆記具の、第１の実施の形態と異なるところは、装飾体２０に前筐体部２１と後筐体部２２との開く範囲を抑制できる弾性装置５０Ａが内設される点、弾性装置５０Ａの下端に第四連動部材３５に撞着されることによって前筐体部２１を開閉するように動作する受動部材５１が設けられる点、第四連動部材３５の一端に小さい造形物２３の最上部を導入して位置決めるための中空フレーム３５１が設けられる点、前筐体部２１と後筐体部２２はそれぞれ、弾性装置５０Ａに連結する内筐体２１１、２２１と、形状変更など設計変更を実施するために内筐体２１１、２２１の表に固着される外筐体２１２、２２２を有する点である。
【００２７】
弾性装置５０Ａは、前筐体部２１の内筐体２１１に連結される第一固定部材５２と、後筐体部２２の内筐体２２１に連結される第二固定部材５３と、第一固定部材５２を貫通しかつ後端部がそれぞれ第二固定部材５３に連結されて固定される二つの可動ロッド５５と、可動ロッド５５を往復運動させるように可動ロッド５５に覆設される二つのコイルばね５６とから構成され、第一固定部材５２及び第二固定部材５３にそれぞれ、外筐体２１２、２２２と嵌合するための嵌合凹部５２２、５３２が設けられ、外筐体２１２、２２２の内側面には嵌合凹部５２２、５３２に対応する凸部２１３、２２３が設けられる。
前筐体部２１と後筐体部２２を、内筐体２１１、２２１と外筐体２１２、２２２を組み合わせるような形状様式に設計し、弾性装置５０Ａの二つの固定部材５２、５３をそれぞれ内筐体２１１、２２１に連結する構造である。
図９に示すように、筆記具本体１０と装飾体２０との間ではネジ３０にて筆記具本体１０の支持部１１を後筐体部２２の内筐体２２１と螺合する構造であるため、ネジ３０を取り除くことにより、装飾体２０を弾性装置５０Ａとともに取り替えることができる。そこで、当該装飾体付き筆記具１の装飾体２０を完全に新しく取り替えることによって全体的に形状設計の変更ができるため、第２の実施の形態における装飾体２０の分解と組立では、第１の実施の形態より利便性がある。
また、外筐体２１２、２２２は内筐体２１１、２２１の部分を保つ働きをする他に、外筐体２１２、２２２を取り替えることによる当該装飾体２０の様式変更が可能なため、これにより、本考案の装飾体付き筆記具における趣味の価値及び形状設計を伸ばすことが可能である他に、モジュール生産に便利なのでコスト削減にもつながる。
【００２８】
図９に示すように、弾性装置５０Ａは、二つの可動ロッド５５がそれぞれ装飾体２０の左右両側に内設され、即ち前筐体部２１の内筐体２１１と連接する第一固定部材５２の両側から突き出すように設けられ、二つの可動ロッド５５の後端部をそれぞれ第二固定部材５３の挿嵌凹部５３１に導入して当該挿嵌凹部５３１にあるネジ６０にて螺合される構造である。これにより、前筐体部２１が撞着される際に均一に開くことができる他、その後また均一に閉じることも可能であり、かつこの弾性装置５１Ａの弾性効果と構造強度は第１の実施の形態のものよりも向上するという効果がある。
【００２９】
図１０及び図１１に示すように、筆記具本体１０は、可動ロッド３１と第二弾性部材４１をその内部で動作させる軸筒の後端部１０１と、軸筒の後端部１０１と螺接し、芯と第二弾性部材４２をその内部で動作させる軸筒の前端部１０２と、軸筒の前端部１０２と螺接し、芯の先端を突き出させる軸筒の先端部１０３とから構成される。なお、軸筒の後端部１０１の最上部は支持部と係合される。
この筆記具本体１０の内側壁にはそれぞれ、第二弾性部材４２を安定的に伸縮させかつ滑動させるための複数の下リブ１２Ａと中リブ１２Ｂが設けられ、他の第二弾性部材４１を安定的に伸縮させかつ滑動させるための複数の上リブ１２Ｃが設けられ、また、上リブ１２Ｃと上リブ１２Ｃとの間に横棒１３が連結され、横棒１３の下方に可動ロッド３１の底部と係合するための止め穴１４が設けられる。上リブ１２Ｃは第二弾性部材４１の外れを防ぐために軸筒の後端部１０１の底部の内側壁に設けられ、中リブ１２Ｂは軸筒の前端部１０２の底部の内側壁に設けられ、また、下リブ１２Ａは第二弾性部材４２の外れを防ぐために軸筒の先端部１０３の内側壁に設けられる。
【００３０】
以上の各実施の形態は、本考案の構造と、特徴及び作用効果を説明するために用いられるものであり、新規性や進歩性といった要件を満たしているため、法律の規定による実用新案登録出願を行い、また、上述では本考案の好ましい実施例を開示したに過ぎず、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３１】
１  装飾体付き筆記具
１０  筆記具本体
１０１  軸筒の後端部
１０２  軸筒の前端部
１０３  軸筒の先端部
１１  支持部
１２  リブ
１２Ａ  下リブ
１２Ｂ  中リブ
１２Ｃ  上リブ
１３  横棒
１４  止め穴
２０  装飾体
２１  前筐体部
２２  後筐体部
２３  小さい造形物
２１１、２２１  内筐体
２１２、２２２  外筐体
２１３、２２３  凸部
３０  連動装置
３１  可動ロッド
３２  第一連動部材
３３  第二連動部材
３４  第三連動部材
３５  第四連動部材
３５１  中空フレーム
３５２  中空槽
４０  第一弾性部材
４１、４２  第二弾性部材
５０、５０Ａ  弾性装置
５１  受動部材
５１１  凹凸部
５２  第一固定部材
５２１  押止部
５３  第二固定部材
５３１  挿嵌凹部
５２２、５３２  嵌合凹部
５４  位置決め部材
５４１  中空収納槽
５４２  側端部
５４３  押止リング
５５  可動ロッド
５５１  円錐状突起
５５２  押止リング
５５３  ほぞ部
５６  コイルばね
６０  止めネジ
【図１】
0003177913.tif 000003
【図２】
0003177913.tif 000004
【図３】
0003177913.tif 000005
【図４】
0003177913.tif 000006
【図５】
0003177913.tif 000007
【図６】
0003177913.tif 000008
【図７】
0003177913.tif 000009
【図８】
0003177913.tif 000010
【図９】
0003177913.tif 000011
【図１０】
0003177913.tif 000012
【図１１】
0003177913.tif 000013